(57)【要約】【課題】  主に室内用のドアとして、見て楽しめ、交換して楽しめるパネル交換ドアを提供するもので、透明板とデザイン板を組み合わせたパネルにより、模様・絵・写真等を楽しむと共に、店用のドアとして使用する場合広告としてお客様にアピールできる。  また、３方枠と着脱枠との構造により、特殊な技術を必要とせず誰でも簡単に交換できるパネル交換ドアを提供する。【解決手段】  ２枚の透明板に、サンドイッチ状に形成してなる模様・絵・写真・広告などで表現してなるデザイン板を設けてなるパネルを形成すると共に、３方枠の内側に連設してなる溝を形成し、着脱枠の内側にも同様な溝を形成し、パネルを３方枠の溝に挿入した後、着脱枠を取り付け、ドアを形成してなることを特徴とするパネル交換ドア。【選択図】図１
2009013767.tif 000002
【特許請求の範囲】
【請求項１】
２枚の透明板に、サンドイッチ状に形成してなる模様・絵・写真・広告などで表現してなるデザイン板を設けてなるパネルを形成すると共に、３方枠の内側に連設してなる溝を形成し、着脱枠の内側にも同様な溝を形成し、パネルを３方枠の溝に挿入した後、着脱枠を取り付け、ドアを形成してなることを特徴とするパネル交換ドア。
【請求項２】
透明板に複数個のクリップにてサンドイッチ状に形成してなることを特徴とする請求項１記載のパネル交換ドア。
【請求項３】
３方枠が、取っ手側の側方を開放してなる形態であることを特徴とする請求項１又は２記載のパネル交換ドア。
【請求項４】
着脱枠に、取っ手を設けてなることを特徴とする請求項１、２又は３記載のパネル交換ドア。
【発明の詳細な説明】
【技術分野】
【０００１】  本発明は、自分好みに加工したパネルを着脱自在に取り替えられるパネル交換ドアに関するものである。
【背景技術】
【０００２】  従来の技術として、既設ドアを撤去して残存した既設ドア枠に新設ドアを交換的に設置し該新設ドア設置の気密材を上記既設ドア枠に対接することによって既設ドア枠と新設ドアとの間の気密性を確保した改装ドアであって、上記新設ドアを両面フラッシュドアとし且つその室内側見付面の外周に矩形細帯状にして該見付面と同一面をなす外周端部を区画形成するように該ドア形状に添って一連に連続する凹陥溝を設置すると共に上記気密材をクッション部と該クッション部を有する薄肉ベース部と該薄肉ベース部に対してＬ字状をなすように室外側に向けた嵌合脚部とを備えて形成し、上記両面フラッシュドアの凹陥溝に該気密材の嵌合脚部を嵌入しそのクッション部を該凹陥溝外側の上記外周端部側に張出状に配置して該クッション部により該ドアの外周端部を連続的に被覆囲繞することによって上記既設ドア枠の戸当り面に気密材を対接自在としてなることを特徴とする既設ドア枠利用の改装ドアがある。（特許文献１参照）【０００３】  また、別の従来技術として内部の骨組みとなり、外周にパネル取付枠を一体的に設けたドア本体と、このドア本体に取り付けられる外側表装パネル及び内側表装パネルとにより構成したドアであって、前記両表装パネルの少なくとも外側表装パネルの外周に、前記ドア本体側のパネル取付枠を包み込んだ状態で外嵌合される嵌合部を一体的に形成して、少なくとも前記外側表装パネルが、前記ドア本体に対して交換可能となっていることを特徴とするドアがある。（特許文献２参照）
【特許文献１】  特開２００６−８３６９８号公報
【特許文献２】  特開２００５−２９０７６２号公報
【発明の開示】
【発明が解決しようとする課題】
【０００４】  上記前者においては、既存ドアを撤去した既設ドア枠に可及的簡易に新設ドアを納まりよく設置してドア改装を完了できるようにするとともに新設ドアの設置によって自ずと気密性を確保し得るようにするもので、本発明のようなパネルにて表裏で自分好みの絵等を楽しむことのできるものではない。【０００５】  また、上記後者においても、表装の意匠が簡単に変えられ、しかも新しい防犯装置の取り付けも簡単に行うことができるドアを簡単な構成によって提供することを目的としており、構造的に複雑である。【０００６】  本発明は、主に室内用のドアとして、見て楽しめ、交換して楽しめるパネル交換ドアを提供するもので、透明板とデザイン板を組み合わせたパネルにより、模様・絵・写真等を楽しむと共に、店用のドアとして使用する場合広告としてお客様にアピールできる。
また、３方枠と着脱枠との構造により、特殊な技術を必要とせず誰でも簡単に交換できるものである。
【課題を解決するための手段】
【０００７】  本発明は、上記目的を達成するために、２枚の透明板に、サンドイッチ状に形成してなる模様・絵・写真・広告などで表現してなるデザイン板を設けてなるパネルを形成すると共に、３方枠の内側に連設してなる溝を形成し、着脱枠の内側にも同様な溝を形成し、パネルを３方枠の溝に挿入した後、着脱枠を取り付け、ドアを形成してなる。
透明板に複数個のクリップにてサンドイッチ状に形成してなる。
３方枠が、取っ手側の側方を開放してなる形態である。
着脱枠に、取っ手を設けてなることを特徴とする。
【発明の効果】
【０００８】１）、透明板とデザイン板とによりサンドイッチ状に形成したパネルを、３方枠内に挿入し、着脱枠にて固定することにより、デザイン板に描かれた絵等を楽しむことができると共に、デザイン板を取り替えることにより、いろいろな絵等を楽しむことができる。
２）、店用のドアとして使用した場合、デザイン板に広告等を表示することにより、店内のお客様や通行人の方にアピールできる。
３）、クリップにてパネルを形成することができ、特殊な技術を必要としない。
４）、３方枠は建物に固定されている状態で、着脱枠を取り外すことにより、側方より簡単にパネルを交換することができる。
５）、着脱枠の色を変えたり、取っ手のデザインを変えることが容易にでき、ファッショナブルなドアを提供できる。
【発明を実施するための最良の形態】
【０００９】  パネル交換ドアは、パネル１、３方枠２、着脱枠３より構成されるものである。
パネル１は、２枚の透明板（合成樹脂製等）１ａ間に、模様・絵・写真・広告などを表現してなるシート状のデザイン板１ｂを設け、透明板１ａの外周に複数個のクリップ１ｃにて挟持し、サンドイッチ状に形成してなるものである。【００１０】  ３方枠２は、取っ手側の側方を開放してなる、コの字形の形態で、内側に連設してなる溝２ａを形設してなるもので、両側端部に取付穴２ｂを設けてある。
着脱枠３は、上記３方枠２の取っ手側の側方に取り付けるもので、上記溝２ａと同様な溝３ａを内側に形設すると共に、上記取付穴２ｂ・２ｂに対応する連結孔３ｂ・３ｂを上下に設けてある。なお、必要に応じて取っ手Ｔを設けてもよい。【００１１】  つまり、パネル交換ドアは、上記３方枠２の溝２ａ・２ａ・２ａに沿ってパネル１を挿入し、最終的に着脱枠３の溝３ａにパネル１の側部に挿入し、取付穴２ｂよりボルトＢを螺入することにより固定するものである。【００１２】  なお、パネル１を取り外す場合は、ボルトＢを外し、着脱枠３を取り、パネル１を３方枠２より引き出すことにより行うことができる。
また、デザイン板１ｂを変える場合は、クリップ１ｃ…を外すことによりデザイン板１ｂを取り替えることができ、再度クリップ１ｃ…にて固定するものである。【００１３】  上記実施例において、透明板・デザイン板・３方枠・着脱枠等の材質や大きさは特に限定するものではない。
また、デザイン板の内容も必要に応じて決めればよい。
【図面の簡単な説明】
【００１４】
【図１】  本発明の一実施例によるパネル交換ドアにおけるパネルの分解図。
【図２】  本発明の一実施例によるパネル交換ドアにおけるパネルの正面図。
【図３】  本発明の一実施例によるパネル交換ドアにおける３方枠の斜視図。
【図４】  本発明の一実施例によるパネル交換ドアにおける着脱枠の斜視図。
【図５】  本発明の一実施例によるパネル交換ドアにおける組立分解図。
【図６】  本発明の一実施例によるパネル交換ドアにおける組立図。
【符号の説明】
【００１５】１−−−パネル
１ａ−−透明板
１ｂ−−デザイン板
１ｃ−−クリップ
２−−−３方枠
２ａ−−溝
２ｂ−−取付穴
３−−−着脱枠
Ｂ−−−ボルト
Ｔ−−−取っ手
【図１】
2009013767.tif 000003
【図２】
2009013767.tif 000004
【図３】
2009013767.tif 000005
【図４】
2009013767.tif 000006
【図５】
2009013767.tif 000007
【図６】
2009013767.tif 000008